(57)【要約】【課題】輸送時の落下衝撃によるキャビネットの変形や液晶パネルの破損、画質劣化を防止する薄型表示装置の構造を提供する。【解決手段】液晶パネル２をフロントキャビネット３と背面フレーム６で挟み込み、なおかつ背面フレーム６の背面側にバックキャビネット５を有する液晶表示装置１の構造において、バックキャビネット５と背面フレーム６の間にＬ字型をした中間キャビネット１１を挟みこむことで、額縁近傍の剛性を増し、落下時のキャビネット変形や液晶パネルの破損、画質劣化の危険性を低減する。【選択図】図３
2013156474.tif 000002
【特許請求の範囲】
【請求項１】
液晶パネルと、
前記液晶パネルの前面側に配置されたフロントキャビネットと、
前記液晶パネルの背面側に配置されたバックライトユニットと、
前記バックライトユニットの背面側に配置されたバックキャビネットと、
前記バックライトユニットと前記バックキャビネットの間に配置された中間キャビネットを備え、
前記中間キャビネットは、前記バックライトユニットの側面側を覆い隠す形状とする薄型表示装置。
【請求項２】
前記中間キャビネットは、樹脂で形成されている請求項１記載の薄型表示装置。
【請求項３】
前記中間キャビネットは、金属部材で形成されている請求項１記載の薄型表示装置。
【発明の詳細な説明】
【技術分野】
【０００１】
本発明は、液晶表示装置などの薄型表示装置に関し、製品への外力によって発生する変形を抑制し、画質劣化やパネルの破損、フレームの変形による外観劣化を防止する薄型表示装置に関する。
【背景技術】
【０００２】
液晶表示装置は、平面型の薄型表示装置として、一般家庭は勿論のこと、業務用としても、需要が拡大している。
【０００３】
一般的に、液晶表示装置の構造は、液晶パネルの前面側に、枠状フレームと、背面側に、面光源としてのバックライトユニットを配置して表示モジュールを構成し、この表示モジュールを、フロントキャビネットとバックキャビネットからなる薄型の筐体の内部に収容することにより構成されている。また輸送する際は、液晶表示装置を収納する梱包箱と、その間に設けられた緩衝部材により構成されている（特許文献１参照）。
【先行技術文献】
【特許文献】
【０００４】
【特許文献１】特開２００６−２０１３１８号公報
【発明の概要】
【発明が解決しようとする課題】
【０００５】
近年の液晶表示装置において、デザイン性向上のために、薄型化、狭額縁化への要求が高まってきている。
【０００６】
液晶表示装置の薄型化、狭額縁化が進むことにより、製品強度が低下し、梱包輸送時の落下衝撃によって、キャビネットの変形、液晶パネルの破損や画質劣化が発生する恐れがある。
【０００７】
特に、液晶表示装置の狭額縁化に伴い、液晶パネルを保持するための枠状のフレームやフロントキャビネットが細くなり、落下衝撃によって額縁を構成するフレームやフロントキャビネットが変形し、外観問題や、液晶パネルの破損、画質の劣化を引き起こす課題が顕著となってきている。
【０００８】
本発明はこのような事情を鑑み、輸送時の落下衝撃による外観フレームの変形や液晶パネルの破損、画質劣化を防止する薄型表示装置の構造を提供することを目的とする。
【課題を解決するための手段】
【０００９】
上記目的を達成するために本発明の薄型表示装置は、液晶パネルと、液晶パネルの前面側に配置されたフロントキャビネットと、液晶パネルの背面側に配置されたバックライトユニットと、バックライトユニットの背面側に配置されたバックキャビネットと、バックライトユニットとバックキャビネットの間に配置された中間キャビネットを備え、中間キャビネットは、バックライトユニットの側面側を覆い隠す形状とする。
【発明の効果】
【００１０】
本発明の薄型表示装置によれば、額縁近傍の剛性を増すことができ、特に輸送時の落下において、フロントキャビネットや枠状フレームが変形し、外観不良や液晶パネルの破損、画質劣化が引き起こされることを防止することができる。
【図面の簡単な説明】
【００１１】
【図１】本発明の一実施の形態に係る液晶表示装置の構造を示す全体図
【図２】本発明の一実施の形態に係る液晶表示装置の構造を示す分解斜視図
【図３】図１のＡ−Ａ線で切断した上部断面の拡大図
【図４】本発明の一実施の形態に係る他の液晶表示装置の構造を示す全体図
【発明を実施するための形態】
【００１２】
本実施の形態では、薄型表示装置として、液晶表示装置を一例として説明する。
【００１３】
以下、本発明の一実施の形態に係る液晶表示装置の構造について、図面を用いて説明する。
【００１４】
図１は本発明の一実施の形態に係る液晶表示装置１を示す正面図である。図１において、手前が液晶表示装置１の前面側である。
【００１５】
図２は、本発明の一実施の形態に係る液晶表示装置１の分解斜視図である。図２において下側が液晶表示装置１の前面側、上側が液晶表示装置１の背面側である。図３は、図１のＡ−Ａ線で切断した断面図である。図３において上側が液晶表示装置１の前面側、下側が液晶表示装置１の背面側である。図１から図３に示すように液晶表示装置１は、液晶パネル２の前面側に、フロントキャビネット３と、背面側に、バックライトユニット９と、バックキャビネット５を配置している。バックライトユニット９は、導光板７、反射シート４、ＬＥＤ１３、ＬＥＤ基板１４、背面フレーム６から構成されている。図２に示すように、バックライトユニット９のＬＥＤ１３は、ＬＥＤ基板１４上に複数配され、ＬＥＤ基板１４は、液晶表示装置１の左右側面側に配置されている。
【００１６】
背面フレーム６と液晶パネル２の間には導光板７や光学シート８を保持するための内部フレーム１０などが配置される。本発明ではさらに、背面フレーム６とバックキャビネット５の間に補強用の中間キャビネット１１を配置している。中間キャビネット１１は、バックライトユニット９を覆い隠す形状であるＬ字型にする。
【００１７】
本構造のように、中間キャビネット１１をフロントキャビネット３とバックキャビネット５の間に配置し、さらに中間キャビネット１１をＬ字型とすることで、フロントキャビネット３と前記中間キャビネット１１で「コの字」型を形成し、額縁近傍の剛性が確保できる。
【００１８】
また、本構造はフロントキャビネット３と中間キャビネット１１が別部品で構成されるため、製造時の組立が容易である。
【００１９】
従って、本実施の形態の構造によれば、製造時の組立の課題を解決しながら額縁近傍の剛性を確保することが可能となり、落下時の表示モジュールやキャビネットの変形、液晶パネルの破損や画質劣化を防止することができる。
【００２０】
なお、本実施の形態では、中間キャビネット１１は「Ｌ字」型としたが、図４に示す中間キャビネット１１のように、外表面の形状を変化させ、加飾を施してもよい。
【００２１】
また、中間キャビネット１１の材質や形状、表面上の加飾を変更することで、容易にデザインを多様化することが可能となる。例えば、中間キャビネット１１を樹脂や、金属などで構成してもよい。樹脂等の熱伝導性の低い部材で構成する場合、ＬＥＤ１３の熱がバックキャビネット５に熱伝導しにくくなり、バックキャビネットの温度上昇を低減することが可能である。
【産業上の利用可能性】
【００２２】
以上のように本発明は、液晶表示装置の額縁の剛性を増加する以外に、ＰＤＰテレビ等の他の薄型表示装置の額縁にも利用可能である。
【符号の説明】
【００２３】
１  液晶表示装置
２  液晶パネル
３  フロントキャビネット
４  反射シート
５  バックキャビネット
６  背面フレーム
７  導光板
８  光学シート
９  バックライトユニット
１０  内部フレーム
１１  中間キャビネット
１３  ＬＥＤ
１４  ＬＥＤ基板
【図１】
2013156474.tif 000003
【図２】
2013156474.tif 000004
【図３】
2013156474.tif 000005
【図４】
2013156474.tif 000006